【手続補正書】
【提出日】令和1年6月10日(2019.6.10)
【手続補正１】
【補正対象書類名】明細書
【補正対象項目名】０１２８
【補正方法】変更
【補正の内容】
【０１２８】
図２２は、黒体軌跡を示し、２７００Ｋから６５００ＫのＣＣＴ値間に延びる最小色合いのライン（または「白体ライン」）を含む、ＣＩＥ１９３１色度図の抜粋である。研究者らは、人々の大半は、黒体輻射の同じＣＣＴラインの照射源よりも「白体ライン」（ＷＢＬ）上の照射源を好むと決定した（たとえば、Ｒｅａ，Ｍ．Ｓ．およびＦｒｅｙｓｓｉｎｉｅｒ，Ｊ．Ｐ．：Ｗｈｉｔｅ  ｌｉｇｈｔｉｎｇ  ｆｏｒ  ｒｅｓｉｄｅｎｔｉａｌ  ａｐｐｌｉｃａｔｉｏｎｓ、Ｌｉｇｈｔ  Ｒｅｓ．  Ｔｅｃｈ．、４５（３）、３３１〜３４４ページ（２０１３年）を参照されたい）。図２２に示すように、約４０００Ｋ未満のＣＣＴ値では、ＷＢＬは黒体曲線より下にあるが、より高いＣＣＴ値では、ＷＢＬは黒体曲線より上にある。いくつかの実施形態では、本明細書で開示する照明デバイスは、少なくとも２つのカラーポイントの間で移動するように固体照明デバイスの総計の発光を調整するように構成され、少なくとも２つのカラーポイントのうちの少なくとも第１のカラーポイントは、さらなる光の不存在下で、１９３１ＣＩＥ色度図上の以下のｘ，ｙ座標すなわち（０．３１１４，０．３３８６）から（０．３４６２，０．３６３１）、（０．３４６２，０．３６３１）から（０．３７７７，０．３７９０）、（０．３７７７，０．３７９０）から（０．３９７７，０．３７０７）、（０．３９７７，０．３７０７）から（０．４２１１，０．３７１３）、および（０．４２１１，０．３７１３）から（０．４４３７，０．３８０８）によって画定される区間を含むラインを実施する白体軌跡の７つのマクアダム楕円の上またはその中の点を定義する１９３１ＣＩＥ色度図上の（ｘ，ｙ）座標を有する総計の発光を作り出す、第１の電気的に起動された固体発光素子および第２の電気的に起動された固体発光素子によって発せられた照明デバイスを出る光の組み合わせを実施する。このようにして、カラーポイントは、ＷＢＬに沿って（好ましくは、自動的に）調整されてもよい。好ましくは、第１のカラーポイントおよび第２のカラーポイントにおける総計の発光は、ワットあたり少なくとも６０ルーメンの視感度をさらに有する。
【手続補正２】
【補正対象書類名】特許請求の範囲
【補正対象項目名】全文
【補正方法】変更
【補正の内容】
【特許請求の範囲】
【請求項１】
固体照明デバイス用の制御モジュールであって、
前記固体照明デバイスは、固体発光素子の複数のグループを含み、前記固体発光素子の複数のグループの固体発光素子の各グループは独立して制御可能であり、固体発光素子の各他のグループが生成する発光の主波長とは異なる主波長を含む発光を生成するように配置され、固体発光素子の各グループによって生成される発光が組み合わされて前記固体照明デバイスの総発光を作り出すように配置され、
前記制御モジュールは、
少なくとも一つの動作命令セットを記憶するメモリと、
少なくとも一つの前記動作命令セットを利用して、（ｉ）時間および（ｉｉ）環境条件を示す少なくとも一つの信号、のうちの少なくとも一つに応答して、（ａ）前記総発光の光束ならびに（ｂ）前記総発光の相関色温度およびカラーポイントのうちの少なくとも一つ、を暦日の異なる時間に自動的に調整するように構成された少なくとも一つのプロセッサと、
を備え、
少なくとも一つの前記プロセッサはさらに、少なくとも一つの前記動作命令セットを利用して、前記総発光の選択されたカラーポイントまたは相関色温度のために、（ｃ）前記総発光の１００ルーメンあたりミリワットのメラトニン抑制および（ｄ）前記総発光の関連ガマット、のうちの少なくとも一つを暦日の異なる時間に自動的に調整するように構成される、
固体照明デバイス用の制御モジュール。
【請求項２】
少なくとも一つの前記プロセッサが、以下の条件（ｉｉｉ）および（ｉｖ）の両方を維持しながら、以下の調整（ｉ）および（ｉｉ）のうちの少なくとも一つを実行するように構成される、
（ｉ）前記総発光の１００ルーメンあたりミリワットのメラトニン抑制を少なくとも１０％調整する、および
（ｉｉ）前記総発光の関連ガマットを少なくとも８％調整する、
（ｉｉｉ）前記固体照明デバイスの総発光をターゲット相関色温度値の４つのマクアダム楕円内で維持する、および
（ｉｖ）前記固体照明デバイスの総発光を少なくとも７０の演色評価数（ＣＲＩ）値以上に維持する、
請求項１に記載の制御モジュール。
【請求項３】
少なくとも一つの前記プロセッサが、以下の条件（ｉｉｉ）および（ｉｖ）の両方を維持しながら、以下の調整（ｉ）および（ｉｉ）のうちの少なくとも一つを実行するように構成される、
（ｉ）前記総発光の１００ルーメンあたりミリワットのメラトニン抑制を少なくとも２０％調整する、および
（ｉｉ）前記総発光の関連ガマットを少なくとも１５％調整する、
（ｉｉｉ）前記固体照明デバイスの総発光をターゲット相関色温度値の４つのマクアダム楕円内で維持する、および
（ｉｖ）前記固体照明デバイスの総発光を少なくとも７０の演色評価数（ＣＲＩ）値以上に維持する、
請求項１に記載の制御モジュール。
【請求項４】
前記固体照明デバイスの使用を検出し、
前記固体照明デバイスの検出された使用に関する情報を前記制御モジュールの前記メモリ内に記憶し、記憶される前記情報が、時間に対する総発光のカラーポイントおよび光束を示す情報を含むようにし、
少なくとも一つの前記プロセッサを利用して、記憶された前記情報を自動的に分析して前記固体照明デバイスの使用の一つまたは複数の時間パターンを識別し、
少なくとも一つの前記プロセッサを利用して、識別された前記使用の一つまたは複数の時間パターンに応答して、提案された動作命令セットを生成し、
提案された前記動作命令セットを利用して、前記固体発光素子の複数のグループの動作を調整する、ように構成される、
請求項１に記載の制御モジュール。
【請求項５】
少なくとも一つの前記プロセッサはさらに、（ｉｉｉ）ユーザコマンドを示す、ユーザにより生成された複数の異なる音パターンおよび（ｉｖ）ユーザコマンドを示す、ユーザにより生成された複数の異なるジェスチャパターンのうちの一つまたは複数を検出するように構成された検出器の出力信号に応答して、（ａ）前記総発光の光束または（ｂ）前記総発光の相関色温度およびカラーポイントのうちの少なくとも一つ、の自動調整を一時停止するかまたは変更するように構成される、
請求項１に記載の制御モジュール。
【請求項６】
少なくとも一つの前記プロセッサはさらに、地理空間位置を示すかまたはその導出を可能にする少なくとも一つの信号を利用して、（ａ）前記総発光の光束ならびに（ｂ）前記総発光の相関色温度およびカラーポイントのうちの少なくとも一つ、を暦日の異なる時間に自動的に調整するように構成される、請求項１に記載の制御モジュール。
【請求項７】
環境条件を示す少なくとも一つの信号を受信または提供するように配置された少なくとも一つのセンサをさらに備える、請求項１に記載の制御モジュール。
【請求項８】
周辺光センサ、イメージセンサ、温度センサ、気圧センサ、湿度センサ、天気情報受信機、ガス検出器、音検出器、および微粒子検出器、のうちの一つまたは複数をさらに備える、請求項１に記載の制御モジュール。
【請求項９】
前記固体発光素子の複数のグループに接続される複数のＬＥＤドライバモジュールと動作可能に接続される、請求項１に記載の制御モジュール。
【請求項１０】
少なくとも一つの前記動作命令セットを修正するために、デジタル通信デバイスまたはデジタルコンピューティングデバイスから少なくとも一つの第１の信号を受信するように構成されたワイヤレストランシーバをさらに備える、請求項１に記載の制御モジュール。
【請求項１１】
請求項１に記載の前記制御モジュールと、
前記固体発光素子の複数のグループと、を備える固体照明デバイス。
【請求項１２】
前記固体発光素子の複数のグループが、
５９１ｎｍから６５０ｎｍの範囲内のピーク波長を含む発光を生成するように配置された少なくとも一つの固体発光素子を含む第１のグループと、
５０６ｎｍから５６０ｎｍの範囲内のピーク波長を含む発光を生成するように配置された少なくとも一つの固体発光素子を含む第２のグループと、
３９０ｎｍから４６０ｎｍの範囲内のピーク波長を含む発光を生成するように配置された少なくとも一つの固体発光素子を含む第３のグループと、
４６１ｎｍから５０５ｎｍの範囲内のピーク波長を含む発光を生成するように配置された少なくとも一つの固体発光素子を含む第４のグループと、
４３０ｎｍから４８０ｎｍの範囲内のピーク波長を含む発光を生成するように配置され、さらに、５３０ｎｍから５９０ｎｍの範囲内のピーク波長を含む発光を生成するように配置された黄色発光ルミフォリック材料または緑色発光ルミフォリック材料の発光を刺激するように配置された少なくとも一つの固体発光素子を含む第５のグループと、
を備える、請求項１１に記載の固体照明デバイス。
【請求項１３】
前記固体照明デバイスが生成する前記総発光が、以下の特性（Ａ）から（Ｄ）、すなわち、
（Ａ）少なくとも２７００Ｋから９０００Ｋの範囲に及ぶ相関色温度範囲にわたる少なくとも９０の演色評価数（ＣＲＩ）値および少なくとも１００の関連ガマット（Ｑｇ）値、
（Ｂ）少なくとも２７００Ｋから９０００Ｋの範囲に及ぶ相関色温度範囲にわたる少なくとも８０の演色評価数Ｒ９値、
（Ｃ）少なくとも２７００Ｋから９０００Ｋの範囲に及ぶ相関色温度範囲にわたる少なくとも６００の光束値、および
（Ｄ）少なくとも２７００Ｋから５７００Ｋの範囲に及ぶ相関色温度範囲にわたる少なくとも３００の放射の視感度値、
のうちの少なくとも一つを含む、請求項１２に記載の固体照明デバイス。
【請求項１４】
固体照明デバイスであって、
固体発光素子の複数のグループであって、前記固体発光素子の複数のグループの固体発光素子の各グループは、固体発光素子の各他のグループが生成する発光の主波長とは異なる主波長を含む発光を生成するように配置され、固体発光素子の各グループは独立して制御可能であり、固体発光素子の各グループによって生成された発光が組み合わされて前記固体照明デバイスの総発光を作り出すように配置され、前記固体発光素子の複数のグループは固体発光素子の少なくとも五つのグループを含む、固体発光素子の複数のグループと、
少なくとも一つの動作命令セットを記憶するメモリと、
少なくとも一つの前記動作命令セットを利用して、（ａ）前記総発光の光束ならびに（ｂ）前記総発光の相関色温度およびカラーポイントのうちの少なくとも一つ、を自動的に調整するように配置された少なくとも一つのプロセッサと、
デジタル通信デバイスまたはデジタルコンピューティングデバイスから少なくとも一つの第１の信号を受信するように配置された第１のワイヤレストランシーバと、
を備え、
少なくとも一つの前記プロセッサが、受信された少なくとも一つの前記第１の信号に応答して、前記総発光の選択されたカラーポイントまたは相関色温度のために、（ｃ）前記総発光の１００ルーメンあたりミリワットのメラトニン抑制および（ｄ）前記総発光の関連ガマット、のうちの少なくとも一つを調整するように配置される、
固体照明デバイス。
【請求項１５】
少なくとも一つの前記プロセッサが、以下の条件（ｉｉｉ）および（ｉｖ）のうちの少なくとも一つを維持しながら、以下の調整（ｉ）および（ｉｉ）のうちの少なくとも一つを実行するように配置される、
（ｉ）前記総発光の１００ルーメンあたりミリワットのメラトニン抑制を少なくとも１０％調整する、および
（ｉｉ）前記総発光の関連ガマットを少なくとも８％調整する、
（ｉｉｉ）前記固体照明デバイスの総発光をターゲット相関色温度値の４つのマクアダム楕円内で維持する、および
（ｉｖ）前記固体照明デバイスの総発光を少なくとも７０の演色評価数（ＣＲＩ）値以上に維持する、
請求項１４に記載の固体照明デバイス。
【請求項１６】
前記固体発光素子の少なくとも五つのグループが、
５９１ｎｍから６５０ｎｍの範囲内のピーク波長を含む発光を生成するように配置された少なくとも一つの固体発光素子を含む第１のグループと、
５０６ｎｍから５６０ｎｍの範囲内のピーク波長を含む発光を生成するように配置された少なくとも一つの固体発光素子を含む第２のグループと、
３９０ｎｍから４６０ｎｍの範囲内のピーク波長を含む発光を生成するように配置された少なくとも一つの固体発光素子を含む第３のグループと、
４６１ｎｍから５０５ｎｍの範囲内のピーク波長を含む発光を生成するように配置された少なくとも一つの固体発光素子を含む第４のグループと、
４３０ｎｍから４８０ｎｍの範囲内のピーク波長を含む発光を生成するように配置され、さらに、５３０ｎｍから５９０ｎｍの範囲のピーク波長を含む発光を生成するように配置された黄色発光ルミフォリック材料または緑色発光ルミフォリック材料の発光を刺激するように配置された少なくとも一つの固体発光素子を含む第５のグループと、
を含む、請求項１４に記載の固体照明デバイス。
【請求項１７】
前記固体照明デバイスが生成する前記総発光が、以下の特性（Ａ）から（Ｄ）、すなわち、
（Ａ）少なくとも２７００Ｋから９０００Ｋに及ぶ相関色温度範囲にわたる少なくとも９０の演色評価数（ＣＲＩ）値および少なくとも１００の関連ガマット（Ｑｇ）値、
（Ｂ）少なくとも２７００Ｋから９０００Ｋに及ぶ相関色温度範囲にわたる少なくとも８０の演色評価数Ｒ９値、
（Ｃ）少なくとも２７００Ｋから９０００Ｋに及ぶ相関色温度範囲にわたる少なくとも６００の光束値、および
（Ｄ）少なくとも２７００Ｋから５７００Ｋに及ぶ相関色温度範囲にわたる少なくとも３００の放射の視感度値、
のうちの少なくとも一つを含む、請求項１４に記載の固体照明デバイス。
【請求項１８】
（ｉ）ユーザコマンドを示す、ユーザにより生成された複数の異なる音パターン、（ｉｉ）ユーザコマンドを示す、ユーザにより生成された複数の異なるジェスチャパターン、および（ｉｉｉ）ユーザにより開始された少なくとも一つの信号、のうちの一つまたは複数を検出し、そのような検出に応答して少なくとも一つの検出器出力信号を作り出すように配置された少なくとも一つの検出器をさらに備え、
少なくとも一つの前記プロセッサはさらに、少なくとも一つの前記検出器出力信号に応答して、（ａ）前記総発光の光束ならびに（ｂ）前記総発光の相関色温度およびカラーポイントのうちの少なくとも一つ、の自動調整を一時停止するかまたは変更するように配置される、
請求項１４に記載の固体照明デバイス。
【請求項１９】
少なくとも一つの他の固体照明デバイスに少なくとも一つの第２の信号を送信するように配置された第２のワイヤレストランシーバをさらに備え、
少なくとも一つの前記第２の信号が、少なくとも一つの前記第１の信号の受信に応答して少なくとも一つの前記プロセッサによって作り出された信号を示すかまたは含む、
請求項１４に記載の固体照明デバイス。
【請求項２０】
前記固体発光素子の複数のグループ、前記メモリ、少なくとも一つの前記プロセッサ、および前記第１のワイヤレストランシーバが、単一の本体構造内または単一の本体構造上に配置される、請求項１４に記載の固体照明デバイス。
【請求項２１】
環境条件を示す少なくとも一つの信号を受信するかまたは提供するように配置される少なくとも一つのセンサをさらに備え、
少なくとも一つの前記プロセッサはさらに、（ｉ）時間および（ｉｉ）環境条件を示す少なくとも一つの前記信号、のうちの少なくとも一つに応答して、（ａ）前記総発光の光束ならびに（ｂ）前記総発光の相関色温度およびカラーポイントのうちの少なくとも一つ、を暦日の異なる時間に自動的に調整するように配置される、
請求項１４に記載の固体照明デバイス。
【請求項２２】
少なくとも一つの前記環境条件が、湿度、気圧、周辺音、ガス濃度、ガスの存在または不存在、微粒子濃度、微粒子の存在または不存在、温度、雲量、屋外周囲温度、屋外周辺光レベル、屋外相関色温度、降水の存在、降水のタイプ、ＵＶ指数、太陽輻射指数、月相、月光レベル、オーロラの存在、および体感温度のうちの少なくとも一つを含む、請求項２１に記載の固体照明デバイス。
【手続補正３】
【補正対象書類名】図面
【補正対象項目名】図２０Ａ
【補正方法】変更
【補正の内容】
【図２０Ａ】
2018531478.tif 000001
【手続補正４】
【補正対象書類名】図面
【補正対象項目名】図２０Ｂ
【補正方法】変更
【補正の内容】
【図２０Ｂ】
2018531478.tif 000002
【手続補正５】
【補正対象書類名】図面
【補正対象項目名】図２０Ｃ
【補正方法】変更
【補正の内容】
【図２０Ｃ】
2018531478.tif 000003
【手続補正６】
【補正対象書類名】図面
【補正対象項目名】図２０Ｄ
【補正方法】変更
【補正の内容】
【図２０Ｄ】
2018531478.tif 000004
【手続補正７】
【補正対象書類名】図面
【補正対象項目名】図３８Ａ
【補正方法】変更
【補正の内容】
【図３８Ａ】
2018531478.tif 000005
【手続補正８】
【補正対象書類名】図面
【補正対象項目名】図３８Ｂ
【補正方法】変更
【補正の内容】
【図３８Ｂ】
2018531478.tif 000006